(57)【要約】      （修正有）【課題】長時間の装着に於いても息苦しさや圧迫感を感じることのない快適性と、更には帽子やマフラー等の様に、お洒落感覚で使うことの出来るデザイン性をも兼備したマスクを提供するものである。【解決手段】上辺に比し短い下辺の台形状マスク本体１を形成し、このマスク本体の前面中央部に主通気孔部３を位置させ、更に両側辺を切欠いて複数段の副通気孔３６を形成して両側部に耳掛け紐４を設けたことにより、長時間のマスク着用で感じる息苦しさを軽減し、且つ圧迫感をも和らげられる衛生マスク。【選択図】図１
0003114181.tif 000002
【実用新案登録請求の範囲】
【請求項１】
上辺に比し短い下辺にて形成された台形状のマスク本体と、このマスク本体の前面中央部に位置した主通気孔部と、両側辺に切欠いて形成される複数段の副通気孔と、更にマスク本体の両側部に設けられた耳掛け紐とで成したことを特徴とする衛生マスク。
【請求項２】
耳の内側曲面に沿ってヒットする柔軟性のある弧状耳カバーと、マスク本体の両側部に留め具にて脱着自在な耳掛け紐と、更にこの耳掛け紐を前記弧状耳カバーに挿通してその一端を弧状耳カバー上に設けられた耳掛け紐調節具より引き出すと、ゴム又は弾力性のある樹脂にて形成された耳掛け紐調節具の弾力性にて耳掛け紐を挟持し、該耳掛け紐の引き出す長さを任意の位置で停止させる機能を有することを特徴とする請求項１記載の衛生マスク。
【考案の詳細な説明】
【技術分野】
【０００１】
本考案は、マスク本来の実用性を高めると共に、特に装着時の快適性やデザイン性に重点を置いた衛生マスクに関する。
【背景技術】
【０００２】
マスクは病気の予防や症状の緩和の為に着用する謂わば医療品・衛生用品の部類に属するが故に、白いガーゼや不織布等で作られた四方形の形状のものが殆どであり、マスクに必要な濾過能力はある反面、顔部に触れる面積が広い分マスクを長時間装着した時の快適性や外観性に欠ける。
一方で、これらの文献の様に、中央部を広くし上下部を細くした菱形若しくは椀形の形状のマスクは存在する。これは、絶対面積を小さくし立体型にすることで、四方形のマスクよりも装着時の快適性を向上させる為であるが、これらのマスクは所謂防塵を目的とし鼻からの吸い込みを主体に配慮した形状になっており、衛生マスクの様に口部を効果的にガードするには面積が狭く適性を欠く。
【０００３】
【特許文献１】昭和１２年実用公告９２８３
【特許文献２】実公昭３５−３３２７６〔背景技術２〕
【０００４】
更に、快適性に重点を置いて作られたマスク、取り分け装着時の快適性に重要な役割を担う耳掛け紐の部分に重点を置いて作られたマスクは殆ど見掛けられない。
一方で、これらの文献の様に、耳掛け紐調節具や耳カバーのどちらかを設けているものは存在する。これら両方を兼備してこそ理想的な快適性を醸成し得るマスクだと言えるが、その両方を兼備させるのは構造的に難しい面があった。
【０００５】
【特許文献３】昭和１０年実用公告６７３７
【特許文献４】実公平１４−３０９０３９６
【特許文献５】昭和１４年実用公告１９０７
【特許文献６】実公昭５８−１２０７５５
【考案の開示】
【考案が解決しようとする課題】
【０００６】
本考案は、衛生マスクに不可欠な実用性を高めると共に、長時間の装着に於いても息苦しさや圧迫感を感じることのない快適性を最大限追求したマスクを提供することで、上記課題を解決する。
【課題を解決するための手段】
【０００７】
上辺に比し短い下辺の台形状マスク本体を形成し、このマスク本体の前面中央部に主通気孔部を位置させ、更に両側辺を切欠いて複数段の副通気孔を形成して両側部に耳掛け紐を設けたことにより、長時間のマスク着用で感じる息苦しさを軽減し、且つ圧迫感をも和らげられる衛生マスク。
【考案の効果】
【０００８】
請求項１により、吸排気、特に排気の折、両側辺１ｃ、１ｃが顔面よりの少許の浮き上がりによって、その副通気孔部３ｂより耳掛け紐４の伸縮範囲内で適性且つ充分な排気が行える様になり、従来のマスクに多く感じられる息苦しさや圧迫感もかなり軽減される。
それに加え、上部より下部の方が偏狭な顔の形状に合わせた台形状にすることでマスクが顔面に沿い易くなり、より一層密着度が高まる。
【０００９】
請求項２により、耳掛け紐の一端４ａを耳掛け紐調節具５より出し入れすることで耳掛け紐４の張力を適度に調節出来、更に耳掛け紐４と耳の内側曲面に沿って耳カバー６をヒットさせることで耳掛け紐４の張力により生じる違和感や耳への負担を軽減させることが出来る為、マスクの密着性を維持しながらも、長時間マスクを快適に装着出来る様になる。耳掛け紐調節具５はゴム又は弾力性のある樹脂にて形成しており、迅速且つ確実に耳掛け紐４を適度な長さに調節及び保持させることが出来る。
【００１０】
補足して、生活環境の悪化により、花粉症に関して言及すれば、一説に全国的には五、六人に一人が、そして都会に於いては三人に一人が花粉症だと言われ、潜在的な人も含めると、今後益々増加の一途を辿るというのも事実である。そして重要なことは「花粉症は完治しない病気」だということ、更にはインフルエンザや喘息、その他種々の要素を加えると、マスクの需要は大変な数になる。
考案者自身も花粉症に悩む一人で、もっと気軽に、どこででも使えるマスクがあればという切実なる思いで、本考案をした次第である。
様々な症状に悩む人たちが何ら躊躇する事なく気軽に使いたくなる様なマスクがあれば、延いては病気の予防にも繋がり医療費削減を願う自治体、更には国家的な視点で見ても、そのメリットは決して小さくはないと言える。
【考案を実施するための最良の形態】
【００１１】
本考案は、随所に様々な工夫を凝らしているが、以下本考案の実施の形態を示す図面に基づいて説明する。
図１に示す如く、マスク本体１は上辺１ａに比し下辺１ｂが短い台形状に形成されている。この台形状のマスク本体１の中央部には多数の小孔３ａより成る主通気孔部３を位置させている。更にマスク本体１の両側辺１ｃ、１ｃには切欠くことによって複数段の副通気孔部３ｂを鋸刃状に形成している。
【００１２】
図４に示す如く、耳掛け紐４はホックやボタン等の耳掛け紐留め具２を留め具通し孔１０に貫通させてマスク本体１に装着する。耳の後部と耳掛け紐４の接する部位に、スポンジ等の緩衝性のある素材にて作られた耳カバー６を装着し、耳カバー６上に設けられた耳掛け紐４の伸縮長さを調整する耳掛け紐調節具５から耳掛け紐の一端４ａを出し入れする。
耳掛け紐調節具５はゴム又は弾力性のある樹脂にて作り、必要な時に素早く且つずれることなく確実に耳掛け紐４の長さ調節及び保持が出来る様にする。
【００１３】
而して、吸排気、特に排気の折、前記マスク本体１の両側辺１ｃ、１ｃが顔面よりの少許の浮き上がりによってその両側辺１ｃ、１ｃの副通気孔部３ｂより排気が行え、この排気量は副通気孔部３ｂの切欠面積と耳掛け紐４の伸縮調整範囲内とが相俟って、適正且つ充分なものとなる。又、耳掛け紐４を脱着可能にすることでマスク本体１の洗浄がし易くなるという利点も生まれる。
勿論、耳掛け紐４をマスク本体１に固定させたマスクも含める。
【００１４】
又、耳掛け紐の一端４ａを耳掛け紐調節具５より出し入れすることで簡単に耳掛け紐４の張力を調節出来る為、マスクを使う状況や環境に応じて、それに適したマスクの密着性を作り出すことが出来る。
更に、耳掛け紐４が接する耳の内側曲面に沿って耳カバー６をヒットさせることで、耳掛け紐４の張力により生じる違和感や耳への負担を軽減させることが出来る。マスクの密着性と快適性は反比例する為、従来はどちらかを犠牲にせざるを得なかった。耳掛け紐の長さ調節具と耳カバーの両方を兼備させるのが理想的ではあるが、それら両方を耳掛け紐に設けるのは難しく、実際どちらか一方を設けている例はあるものの、両方を兼備している例は無い。それ故に、耳掛け紐調整具５及び耳カバー６の両方を一体化させることで、自然な形でそれら両方を耳掛け紐４に兼備させることが出来る様になる。
【００１５】
図４に示す如く、より一層マスクを顔部に違和感なく密着させる為に、マスク本体１の背面に設けられた開口部９の周縁部８を柔軟且つ弾力ある素材を用いて隆起させた形状にする。更に、開口部９を介して、マスクと口鼻部との間に適度な空間を保持させる為に図５に示す成形パッド１３及び吸気を濾過させる為に図６に示すガーゼ１１をマスク本体１の内部に装着する。
又、長時間マスクを装着した時に生じ易いマスク特有の不快臭を軽減し快適に過ごす為に、多層に折り重ねたガーゼ１１の層の内側に、好みに応じて香りシート１２を挟み込む。
【００１６】
図８に示す如く、耳カバー６上の耳掛け紐調節具５から出ている耳掛け紐の一端４ａの先端に吊り紐留め具７を取り付け、好みに応じてサスペンダーである吊り紐１４を装着することで、会話や電話の際に、いちいちマスクを仕舞ったり取り出したりすることなく、マスクを外して首からぶら下げておいて、会話終了後敏速にマスクを装着させることが出来る利便性が生まれる。
更に、マスクの全てのパーツを分離・脱着可能な構造とすることで、気に入ったパーツだけを揃えるだけで様々なバリエーションを増やすことが出来るという経済性も付加する。
【図面の簡単な説明】
【００１７】
【図１】衛生マスクの正面図
【図２】同上の平面図
【図３】同上の底面図
【図４】同上の背面図
【図５】ガーゼの正面図
【図６】成形パッドの正面図
【図７】図４に於けるＡ−Ｂ線の断面図
【図８】衛生マスクの斜視図
【図９】耳掛け紐の斜視図
【符号の説明】
【００１８】
１    マスク本体
１ａ  マスク本体の上辺
１ｂ  マスク本体の下辺
１ｃ  マスク本体の側辺
２    耳掛け紐留め具
３    主通気孔部
３ｂ  副通気孔部
４    耳掛け紐
４ａ  耳掛け紐の一端
５    耳掛け紐調節具
６    耳カバー
【図１】
0003114181.tif 000003
【図２】
0003114181.tif 000004
【図３】
0003114181.tif 000005
【図４】
0003114181.tif 000006
【図５】
0003114181.tif 000007
【図６】
0003114181.tif 000008
【図７】
0003114181.tif 000009
【図８】
0003114181.tif 000010
【図９】
0003114181.tif 000011
【手続補正書】
【提出日】平成17年7月1日(2005.7.1)
【手続補正１】
【補正対象書類名】明細書
【補正対象項目名】００１５
【補正方法】変更
【補正の内容】
【００１５】
図４に示す如く、より一層マスクを顔部に違和感なく密着させる為に、マスク本体１の背面に設けられた開口部９の周縁部８を柔軟且つ弾力ある素材を用いて隆起させた形状にする。更に、開口部９を介して、吸気を濾過させる為に図５に示すガーゼ１１及びマスクと口鼻部との間に適度な空間を保持させる為に図６に示す成形パッド１３をマスク本体１の内部に装着する。
又、図５に示す如く、長時間マスクを装着した時に生じ易いマスク特有の不快臭を軽減し快適に過ごす為に、多層に折り重ねたガーゼ１１の層の内側に、好みに応じて香りシート１２を挟み込む。